(57)【要約】【課題】作業手間及びコストの低減を図りながら、空調用熱交換部にて生じる凝縮水（ドレン水）が有する冷熱を回収して冷房能力の向上を図ること。【解決手段】供給される熱媒体Ｎと空調用空気Ａを熱交換させる空調用熱交換部１と、その空調用熱交換部１と冷熱源２の間で熱媒体Ｎを循環させる状態で空調用熱交換部１に熱媒体Ｎを循環供給する熱媒体循環供給部３と、空調用熱交換部１にて生じる凝縮水Ｇと熱媒体循環供給部３における熱媒体Ｎを熱交換させる凝縮水用熱交換部４とが備えられ、凝縮水用熱交換部４は、熱媒体循環供給部３において空調用熱交換部１から冷熱源２への戻り部位１０に配置されている。【選択図】図１
2015200491.tif 000002
【特許請求の範囲】
【請求項１】
供給される熱媒体と空調用空気を熱交換させる空調用熱交換部と、その空調用熱交換部と冷熱源の間で熱媒体を循環させる状態で前記空調用熱交換部に熱媒体を循環供給する熱媒体循環供給部と、前記空調用熱交換部にて生じる凝縮水と前記熱媒体循環供給部における熱媒体を熱交換させる凝縮水用熱交換部とが備えられ、前記凝縮水用熱交換部は、前記熱媒体循環供給部において前記空調用熱交換部から前記冷熱源への戻り部位に配置されている空調装置。
【請求項２】
前記空調用熱交換部は複数備えられ、前記熱媒体循環供給部は、前記冷熱源からの熱媒体を複数の前記空調用熱交換部の夫々に循環供給自在に構成され、前記凝縮水用熱交換部は、複数の前記空調用熱交換部の夫々における戻り部位に備えられている請求項１に記載の空調装置。
【請求項３】
前記空調用熱交換部に前記空調用空気を通風させる通風部と前記空調用熱交換部を有する空調ユニットが備えられ、前記凝縮水用熱交換部は、前記空調ユニットの内部又は前記空調ユニットに隣接する箇所に配置されている請求項１又は２に記載の空調装置。
【請求項４】
前記空調用熱交換部にて生じる凝縮水を貯留する凝縮水貯留部と、その凝縮水貯留部に貯留される凝縮水を前記凝縮水用熱交換部に供給する凝縮水供給部とが備えられている請求項１〜３のいずれか１項に記載の空調装置。
【請求項５】
前記空調用熱交換部にて生じる凝縮水を貯留する凝縮水貯留部が備えられ、前記熱媒体循環供給部は、前記凝縮水貯留部に貯留する凝縮水と熱交換可能に熱媒体を通流させる熱交換用配管部を備え、前記凝縮水用熱交換部は、前記凝縮水貯留部と前記熱交換用配管部とから構成されている請求項１〜４のいずれか１項に記載の空調装置。
【請求項６】
前記熱交換用配管部は、前記凝縮水貯留部の外面部に配置されている請求項５に記載の空調装置。
【発明の詳細な説明】
【技術分野】
【０００１】
本発明は、供給される熱媒体と空調用空気を熱交換させる空調用熱交換部を備え、その空調用熱交換部にて熱交換された空調用空気を空調対象空間に供給することで、空調対象空間の空調を行う空調装置に関する。
【背景技術】
【０００２】
上記のような空調装置として、例えば、圧縮機、空調用熱交換部、室外熱交換部、膨張弁等により圧縮式冷凍サイクルが構成されており、この冷凍サイクルによって熱媒体としての冷媒の相変化による吸熱作用を利用して、空調用熱交換部において冷媒にて空調用空気を冷却し、その冷却された空調用空気を空調対象空間に供給しているものがある（例えば、特許文献１参照。）。
【０００３】
上記特許文献１の装置では、空調用熱交換部での熱交換によって生じる凝縮水（ドレン水）を貯留する凝縮水貯留部と、その凝縮水貯留部に貯留されている凝縮水と空調用熱交換部に供給される前の冷媒を熱交換させる凝縮水用熱交換部とが備えられている。空調用熱交換部での熱交換によって生じる凝縮水は、比較的低温であるので、凝縮水用熱交換部において凝縮水にて冷媒を冷却することで、凝縮水が有する冷熱を回収して冷房能力の向上を図るようにしている。
【０００４】
また、このような空調装置では、空調用熱交換部に供給する熱媒体について、相変化を伴う冷媒以外に、相変化を伴わない水を熱媒体とするものもある（例えば、特許文献２参照。）。この特許文献２の装置においても、空調用熱交換部での熱交換によって生じる凝縮水を空調用熱交換部に供給する水（熱媒体）に混合させることで、凝縮水が有する冷熱を回収して冷房能力の向上を図るようにしている。
【先行技術文献】
【特許文献】
【０００５】
【特許文献１】特開２００７−１７０６８４号公報
【特許文献２】特開平１０−１２２５９０号公報
【発明の概要】
【発明が解決しようとする課題】
【０００６】
上記特許文献１に記載の装置では、凝縮水用熱交換部において凝縮水と熱交換させる対象が空調用熱交換部に供給する前の冷媒としているが、凝縮水よりも高温の冷媒を凝縮水用熱交換部に供給することが求められる。したがって、凝縮水用熱交換部の配設位置は、冷凍サイクルの冷媒通流方向において、膨張弁にて冷媒が低温に膨張される前の膨張弁よりも上流側箇所に制限される。一方、空調用熱交換部には、膨張弁にて膨張された後の低温の冷媒を供給するために、冷凍サイクルの冷媒通流方向において、膨張弁よりも下流側に空調用熱交換部が配置されている。よって、上記特許文献１に記載の装置では、凝縮水用熱交換部と空調用熱交換部が離れた箇所に配置されている。
【０００７】
空調用熱交換部にて発生する凝縮水は比較的低温であることから、その凝縮水を外部に排水するに当たり、結露が生じないようにその排水路に保温処置を施すことが求められる。しかしながら、上記特許文献１に記載の装置では、凝縮水を凝縮水用熱交換部まで通流させる配管の長さが長くなるので、この長い配管に対して保温処置を施す必要があり、それだけ作業手間及びコストの増大を招くことになる。
【０００８】
上記特許文献２に記載の装置では、凝縮水が有する冷熱を回収するために、凝縮水を空調用熱交換部に供給する熱媒体に混合させているので、凝縮水に異物等が混じっていると、その異物等が熱媒体に混入してしまい、空調用熱交換部での熱交換を適切に行えなくなる等の問題を生じる可能性がある。
【０００９】
この実情に鑑み、本発明の主たる課題は、作業手間及びコストの低減を図りながら、空調用熱交換部にて生じる凝縮水が有する冷熱を回収して冷房能力の向上を図ることができる空調装置を提供する点にある。
【課題を解決するための手段】
【００１０】
本発明の第１特徴構成は、供給される熱媒体と空調用空気を熱交換させる空調用熱交換部と、その空調用熱交換部と冷熱源の間で熱媒体を循環させる状態で前記空調用熱交換部に熱媒体を循環供給する熱媒体循環供給部と、前記空調用熱交換部にて生じる凝縮水と前記熱媒体循環供給部における熱媒体を熱交換させる凝縮水用熱交換部とが備えられ、前記凝縮水用熱交換部は、前記熱媒体循環供給部において前記空調用熱交換部から前記冷熱源への戻り部位に配置されている点にある。
【００１１】
本特徴構成によれば、凝縮水用熱交換部は、熱媒体循環供給部において空調用熱交換部から冷熱源への戻り部位に配置されているので、凝縮水用熱交換部において凝縮水と熱交換させる対象が、空調用熱交換部において空調用空気を冷却することで温度上昇した熱媒体となる。これにより、凝縮水用熱交換部において熱媒体にて凝縮水が有する冷熱を適切に回収することができる。
【００１２】
このような凝縮水用熱交換部の配置構成を採用することで、凝縮水用熱交換部において熱媒体にて凝縮水が有する冷熱を適切に回収しつつ、空調用熱交換部と凝縮水用熱交換部を近くに配置させて、凝縮水を凝縮水用熱交換部まで通流させる配管の長さを短くできる。よって、凝縮水の結露防止のための保温処置を施す部位を無くす或いは極力短くでき、作業手間及びコストの低減を図りながら、凝縮水が有する冷熱を回収して冷房能力の向上を図ることができる。
【００１３】
本発明の第２特徴構成は、前記空調用熱交換部は複数備えられ、前記熱媒体循環供給部は、前記冷熱源からの熱媒体を複数の前記空調用熱交換部の夫々に循環供給自在に構成され、前記凝縮水用熱交換部は、複数の前記空調用熱交換部の夫々における戻り部位に備えられている点にある。
【００１４】
本特徴構成によれば、例えば、複数の店舗を有する商業設備等の大型設備のように、空調対象空間が大きな空間であっても、複数の空調用熱交換部の夫々から空調用空気を供給することで、空調対象空間を適切に冷房することができる。しかも、複数の空調用熱交換部の夫々において生じる凝縮水から冷熱を回収することができ、冷房能力の向上を効果的に図ることができる。
【００１５】
本発明の第３特徴構成は、前記空調用熱交換部に前記空調用空気を通風させる通風部と前記空調用熱交換部を有する空調ユニットが備えられ、前記凝縮水用熱交換部は、前記空調ユニットの内部又は前記空調ユニットに隣接する箇所に配置されている点にある。
【００１６】
本特徴構成によれば、凝縮水用熱交換部が、空調ユニットの内部又は空調ユニットに隣接する箇所に配置されることで、空調ユニットの内部に配置される空調用熱交換部に対してより近い位置に凝縮水用熱交換部を配置することができる。これにより、凝縮水を排水する排水路の全体又は大部分で結露防止のために保温処置を省略でき、作業手間及びコストの低減を図ることができるというメリットを効果的に得ることができる。
【００１７】
本発明の第４特徴構成は、前記空調用熱交換部にて生じる凝縮水を貯留する凝縮水貯留部と、その凝縮水貯留部に貯留される凝縮水を前記凝縮水用熱交換部に供給する凝縮水供給部とが備えられている点にある。
【００１８】
本特徴構成によれば、凝縮水供給部にて凝縮水貯留部に貯留される凝縮水を凝縮水用熱交換部に供給することができ、凝縮水用熱交換部への凝縮水の供給を安定して行うことができ、凝縮水用熱交換部での熱交換を適切に行うことができる。
【００１９】
本発明の第５特徴構成は、前記空調用熱交換部にて生じる凝縮水を貯留する凝縮水貯留部が備えられ、前記熱媒体循環供給部は、前記凝縮水貯留部に貯留する凝縮水と熱交換可能に熱媒体を通流させる熱交換用配管部を備え、前記凝縮水用熱交換部は、前記凝縮水貯留部と前記熱交換用配管部とから構成されている点にある。
【００２０】
本特徴構成によれば、凝縮水と熱媒体を熱交換させる専用の熱交換器を備えることなく、凝縮水貯留部と熱交換用配管部を備えるだけで、凝縮水用熱交換部を構成することができ、構成の簡素化、及び、コストの低減を図ることができる。しかも、凝縮水貯留部に貯留する凝縮水を熱媒体にて加熱するので、凝縮水貯留部から凝縮水を排水する排水路の全域で凝縮水の結露防止のための保温処置を施す必要がなくなる。
【００２１】
本発明の第６特徴構成は、前記熱交換用配管部は、前記凝縮水貯留部の外面部に配置されている点にある。
【００２２】
本特徴構成によれば、凝縮水貯留部を利用してその外面部に熱交換用配管部を配置するだけで、凝縮水用熱交換部を構成することができ、構成の簡素化を適切に図ることができる。しかも、熱交換用配管部は、凝縮水貯留部に貯留する凝縮水に浸ることなく、熱交換用配管部の汚れや劣化等の発生を抑制できる。
【図面の簡単な説明】
【００２３】
【図１】空調装置の概略構成図
【図２】空調装置の概略構成図
【図３】複数の空調ユニットを備えた空調装置の概略構成図
【図４】第２実施形態における空調装置の概略構成図
【図５】凝縮水貯留部と熱交換用配管部とを示す斜視図
【発明を実施するための形態】
【００２４】
本発明に係る空調装置の実施形態を図面に基づいて説明する。
〔第１実施形態〕
この空調装置は、図１に示すように、供給される熱媒体Ｎと空調用空気Ａを熱交換させる空調用熱交換部１と、その空調用熱交換部１と冷熱源２の間で熱媒体Ｎ（例えば、水）を循環させる状態で空調用熱交換部１に熱媒体Ｎを循環供給する熱媒体循環供給部３と、空調用熱交換部１にて生じる凝縮水（ドレン水）Ｇと熱媒体循環供給部３における熱媒体Ｎを熱交換させる凝縮水用熱交換部４とが備えられている。
【００２５】
空調用熱交換部１と冷熱源２の間で循環させる熱媒体Ｎについて、この実施形態では、水を用いているが、例えば、ブライン等の不凍液を用いることもできる。このように、熱媒体Ｎとして、水や不凍液を用いることで、例えば、圧縮式冷凍サイクルの冷媒等を用いるものと比べて、配管として高温高圧の冷媒を通流させ得るだけでの耐久性が求められることがないので、構成の簡素化及びコストの低減を図ることができる。
【００２６】
この空調装置には、空調対象空間に対応して配置される空調ユニット６が備えられており、この空調ユニット６には、空調用熱交換部１に加えて、空調用熱交換部１に空調用空気Ａを通風させる通風ファン５（通風部に相当する）と、空調用熱交換部１にて生じる凝縮水Ｇを貯留する凝縮水貯留部７と、その凝縮水貯留部７に貯留される凝縮水Ｇを凝縮水用熱交換部４に供給する凝縮水ポンプ８（凝縮水供給部に相当する）とが備えられ、図外の制御部によって各機器の作動が制御されている。
【００２７】
熱媒体循環供給部３は、冷熱源２から空調用熱交換部１に熱媒体Ｎを供給する往き路９と、空調用熱交換部１から冷熱源２に熱媒体Ｎを戻す戻り路１０とを備えている。冷熱源２としては、氷蓄熱槽やチラー等の各種の冷熱源を用いることができる。熱媒体循環供給部３は、図外のポンプ等を作動させることで、戻り路１０にて冷熱源２に戻される熱媒体Ｎを冷熱源２の冷熱によって冷却し、その冷却後の熱媒体Ｎを往き路９にて空調用熱交換部１に供給するように構成されている。ここで、冷熱源２による熱媒体Ｎの冷却については、往き路９にて空調用熱交換部１に供給させる熱媒体Ｎの温度が設定温度となるように、冷熱源２にて付与する冷熱量が調整されている。
【００２８】
通風ファン５は、空調用空気Ａを空調ユニット６内に吸引し、その吸引した空調用空気Ａを空調用熱交換部１に供給している。ここで、空調ユニット６に吸引する空調用空気Ａについては、空調対象空間からの還気、外部からの外気、及び、その還気と外気の混合気等の各種の空気を用いることができる。空調用熱交換部１では、往き路９にて冷熱源２から供給される熱媒体Ｎと空調用空気Ａとを熱交換させて、熱媒体Ｎが有する冷熱にて空調用空気Ａを冷却するようにしている。その冷却された空調用空気Ａは、空調ユニット６から空調対象空間に供給されて、空調対象空間の冷房を行うようにしている。
【００２９】
凝縮水貯留部７は、空調用熱交換部１での熱交換により発生する凝縮水Ｇを受け入れて貯留するように構成されている。凝縮水貯留部７に貯留されている凝縮水Ｇを外部に排水する排水路１１が備えられており、その排水路１１の途中部位に凝縮水ポンプ８（凝縮水供給部に相当する）が備えられている。この凝縮水ポンプ８を作動させることで、凝縮水貯留部７に貯留されている凝縮水Ｇを汲み上げ、その汲み上げた凝縮水Ｇを排水路１１にて通流させて外部に排水するように構成されている。
【００３０】
凝縮水ポンプ８の作動については、空調対象空間の冷房を行う空調運転中に常時作動させておくことができる。これに代えて、例えば、空調運転中において、凝縮水貯留部７に設定量だけ凝縮水が貯留されると、設定時間だけ凝縮水ポンプ８を作動させることもできる。このように、凝縮水ポンプ８を作動させることで、空調運転中には、凝縮水用熱交換部４への凝縮水Ｇの供給を安定して行うことができ、凝縮水用熱交換部４での熱交換を適切に行うことができる。
【００３１】
凝縮水用熱交換部４は、排水路１１において凝縮水ポンプ８よりも下流側の途中部位で、且つ、熱媒体循環供給部３の戻り路１０（戻り部位に相当する）の途中部位に配置されている。これにより、凝縮水用熱交換部４では、排水路１１にて排水される凝縮水Ｇと冷熱源２に戻される熱媒体Ｎとを熱交換させて、凝縮水Ｇが有する冷熱を熱媒体Ｎにて回収するようにしている。
【００３２】
このように、凝縮水用熱交換部４において凝縮水Ｇが有する冷熱を熱媒体Ｎにて回収することで、冷熱源２に戻される熱媒体Ｎの温度を低下させることができるので、その温度低下分だけ冷熱源２にて付与する冷熱量を小さくでき、冷却能力の向上を図ることができる。一方、凝縮水Ｇについては、凝縮水用熱交換部４にて冷熱が回収されるので、凝縮水Ｇの温度が上昇することになる。よって、排水路１１では、結露が生じないように保温処置を施すことが求められず、保温処置の省略を図ることができる。
【００３３】
ここで、図１では、凝縮水用熱交換部４の配置位置について、空調ユニット６の外部で且つその空調ユニット６に隣接する箇所又は空調ユニット６の近傍箇所に、凝縮水用熱交換部４を配置している例を示している。それに対して、図２では、凝縮水用熱交換部４の配置位置について、空調ユニット６の内部に凝縮水用熱交換部４を配置している例を示している。
【００３４】
図１及び図２に示すものでは、いずれも、凝縮水貯留部７と凝縮水用熱交換部４が近い箇所に配置されている。これにより、排水路１１において保温処置を省略できる部位（凝縮水用熱交換部４よりも下流側部位）が長くなり、作業手間及びコストの低減を図ることができる。特に、図２に示すものでは、凝縮水用熱交換部４が空調ユニット６の内部に備えられているので、凝縮水貯留部７と凝縮水用熱交換部４を近接して配置することができ、保温処置を省略できる効果を最大限発揮することができる。ちなみに、図２に示すように、排水路１１において凝縮水貯留部７から凝縮水用熱交換部４までの間の流路部位の直下に、凝縮水貯留部７を配置することで、凝縮水貯留部７から凝縮水用熱交換部４までの間で結露が生じても、その結露水も凝縮水貯留部７にて受け入れて貯留することもできる。
【００３５】
上述のような空調装置において、例えば、空調用熱交換部１に供給する熱媒体Ｎの温度を７℃とすると、空調用熱交換部１を通過して空調用空気Ａを冷却した熱媒体Ｎの温度が１７℃となる。一方、その空調用熱交換部１にて生じた凝縮水Ｇが凝縮水貯留部７に貯留され、凝縮水貯留部７に貯留される凝縮水Ｇの温度が８〜１０℃となる。これにより、凝縮水用熱交換部４では、８〜１０℃の凝縮水Ｇと１７℃の熱媒体Ｎとが熱交換されて、凝縮水Ｇが有する冷熱を熱媒体Ｎにて適切に回収することができる。しかも、凝縮水用熱交換部４を通過した凝縮水Ｇの温度が１５〜１６℃に上昇するので、その凝縮水が通流する排水路１１において結露防止のための保温処置を省略することができる。
【００３６】
例えば、複数の店舗を有する商業施設等の大型設備では、図３に示すように、複数の空調ユニット６を分散して配置し、複数の空調ユニット６の夫々から空調用空気Ａを空調対象空間に供給することで、複数の店舗及びそれらを繋ぐ通路等を有する大きな空間を空調対象空間としても、その空調対象空間を適切に冷房できるようにしている。
【００３７】
この場合でも、図１に示すように、複数の空調ユニット６の夫々には、空調用熱交換部１と凝縮水用熱交換部４と通風ファン５と凝縮水貯留部７と凝縮水ポンプ８とが備えられている。凝縮水用熱交換部４についても、図１と同様に、排水路１１において凝縮水ポンプ８よりも下流側の途中部位で、且つ、熱媒体循環供給部３の戻り路１０の途中部位に配置されている。また、冷熱源２については、複数の空調ユニット６に対して共通の冷熱源２が備えられており、熱媒体循環供給部３は、共通の冷熱源２と複数の空調ユニット６の夫々における空調用熱交換部１とを往き路９及び戻り路１０にて接続している。これにより、複数の空調ユニット６からの熱媒体Ｎがまとめられて冷熱源２に戻されており、冷熱源２にて冷却された熱媒体Ｎが複数の空調ユニット６に分散して供給されている。
【００３８】
複数の空調ユニット６の夫々において凝縮水Ｇが有する冷熱を熱媒体Ｎにて回収しているので、その冷熱を回収した熱媒体Ｎを冷熱源２に戻すことで、冷熱源２にて付与する冷熱量の低減をより効果的に図ることができ、冷房能力の向上を効果的に図ることができる。
【００３９】
〔第２実施形態〕
上記第１実施形態では、凝縮水用熱交換部４として、凝縮水Ｇと熱媒体Ｎを熱交換させる熱交換器を備えているが、第２実施形態では、このような専用の熱交換器を備えることなく、凝縮水用熱交換部４を構成している。以下、図４及び図５に基づいて、第２実施形態における凝縮水用熱交換部４について説明する。その他の構成については、上記第１実施形態と同様であるので、詳細な説明は省略する。
【００４０】
この第２実施形態では、上記第１実施形態と同様に、空調用熱交換部１にて生じる凝縮水Ｇを貯留する凝縮水貯留部７が備えられている。凝縮水貯留部７は、例えば、空調用熱交換部１の直下に配置されており、空調用熱交換部１から落下する凝縮水を貯留するように構成されている。凝縮水貯留部７は、例えば、底部７ａとその底部７ａの端部から上方側に延びる周壁部７ｂとを有して上方側が開放された平面視矩形の皿状に形成されている。熱媒体循環供給部３の戻り路１０には、凝縮水貯留部７に貯留する凝縮水Ｇと熱交換可能に熱媒体Ｎを通流させる熱交換用配管部１２が備えられている。凝縮水用熱交換部４は、凝縮水貯留部７と熱交換用配管部１２とから構成されており、凝縮水貯留部７を利用して熱交換用配管部１２を配置することで、専用の熱交換器を備えることなく、凝縮水用熱交換部４を構成している。熱媒体Ｎは、熱交換用配管部１２を通流することで、熱交換用配管部１２及び凝縮水貯留部７を介して、凝縮水貯留部７に貯留する凝縮水Ｇと熱交換される。この熱交換によって、凝縮水Ｇが有する冷熱を熱媒体Ｎにて回収することができ、冷熱源２に戻される熱媒体Ｎの温度を低下させて、冷熱源２にて付与する冷熱量を小さくでき、冷却能力の向上を図ることができる。一方、凝縮水Ｇは、その温度が上昇するので、排水路１１では、結露が生じないように保温処置を施すことが求められず、保温処置の省略を図ることができる。ちなみに、凝縮水貯留部７及び熱交換用配管部１２は、熱伝導性を有しており、熱伝導性の高い金属製等の材料にて製作することで、凝縮水Ｇと熱媒体Ｎの熱交換を効率よく行うことができる。
【００４１】
熱交換用配管部１２は、図５に示すように、凝縮水貯留部７の底部７ａにおける外面部に接触する状態で配置されており、その外面部の略全体に亘って配置されている。熱交換用配管部１２は、凝縮水貯留部７における矩形状の底部７ａの一辺に沿う方向の一端部から他端部まで延びて折り返したのち、その他端部から一端部まで延びて折り返すことを複数回繰り返す形態で、蛇行状に配置されている。ここで、例えば、熱交換用配管部１２の外形形状を平坦部を有する扁平な形状とし、その平坦部を凝縮水貯留部７の底部７ａにおける外面部に接触させることで、熱交換用配管部１２と凝縮水貯留部７との接触面積を大きくして、凝縮水Ｇと熱媒体Ｎとの熱交換の効率化を図ることができる。
【００４２】
この第２実施形態では、凝縮水用熱交換部４として、凝縮水貯留部７と熱交換用配管部１２とを備えるだけでよく、構成の簡素化及びコストの低減を図ることができる。しかも、熱交換用配管部１２は、凝縮水貯留部７の底部７ａにおける外面部に対して、その略全体に亘って配置されているので、凝縮水Ｇと熱媒体Ｎの熱交換を十分に行えるだけの配管長さを有している。よって、凝縮水Ｇと熱媒体Ｎの熱交換を適切に行い、保温処理を省略できる程度の温度まで凝縮水Ｇの温度を上昇させることができる。
【００４３】
この第２実施形態の空調装置において、例えば、空調用熱交換部１に供給する熱媒体Ｎの温度を７℃とすると、空調用熱交換部１を通過して空調用空気Ａを冷却した熱媒体Ｎの温度が１７℃となる。一方、その空調用熱交換部１にて生じた凝縮水Ｇが凝縮水貯留部７に貯留され、凝縮水貯留部７に貯留される凝縮水Ｇの温度が８〜１０℃となる。これにより、凝縮水用熱交換部４では、８〜１０℃の凝縮水Ｇと１７℃の熱媒体Ｎとが熱交換されて、凝縮水Ｇが有する冷熱を熱媒体Ｎにて適切に回収することができる。しかも、凝縮水用熱交換部４を通過した凝縮水Ｇの温度が１５〜１６℃に上昇するので、その凝縮水Ｇが通流する排水路１１において結露防止のための保温処置を省略することができる。
【００４４】
〔別実施形態〕
（１）上記第１及び第２実施形態では、凝縮水ポンプ８が備えられた例を示しているが、凝縮水ポンプ８を省略することもできる。この場合には、例えば、排水路１１に高低差を付けることで、この高低差を利用して凝縮水貯留部７の凝縮水Ｇを排水路１１にて排水することができる。
【００４５】
（２）上記第１及び第２実施形態では、熱媒体循環供給部３が、熱媒体としての水を空調用熱交換部１に循環供給するようにしているが、これに代えて、熱媒体循環供給部３が、圧縮機、凝縮器、膨張弁、蒸発器の順に冷媒を循環させる冷媒回路を備え、空調用熱交換部１を蒸発器として空調対象空間に対応して配置させる直膨方式の冷凍サイクルを用いて、空調用熱交換部１に冷媒を循環供給するようにしてもよい。
【００４６】
（３）上記第２実施形態では、熱交換用配管部１２を、凝縮水貯留部７の底部７ａにおける外面部に配置しているが、凝縮水貯留部７の底部以外の外面部に配置することもできる。
【００４７】
（４）上記第２実施形態では、熱交換用配管部１２を凝縮水貯留部７の外面部に配置しているが、例えば、凝縮水貯留部７に貯留する凝縮水Ｇに浸す状態で凝縮水貯留部７の内部に熱交換用配管部１２を配置することもできる。
【産業上の利用可能性】
【００４８】
本発明は、作業手間及びコストの低減を図りながら、空調用熱交換部にて生じる凝縮水（ドレン水）が有する冷熱を回収して冷房能力の向上を図ることができる各種の空調装置に適用可能である。
【符号の説明】
【００４９】
１          空調用熱交換部
２          冷熱源
３          熱媒体循環供給部
４          凝縮水用熱交換部
５          通風ファン（通風部）
６          空調ユニット
７          凝縮水貯留部
８          凝縮水ポンプ（凝縮水供給部）
９          往き路
１０        戻り路
１１        排水路
１２        熱交換用配管部
Ａ          空調用空気
Ｇ          凝縮水（ドレン水）
Ｎ          熱媒体（水）
【図１】
2015200491.tif 000003
【図２】
2015200491.tif 000004
【図３】
2015200491.tif 000005
【図４】
2015200491.tif 000006
【図５】
2015200491.tif 000007